(57)【要約】【課題】基板上に所望の断面積でシール材を塗布することが可能な表示パネルの製造方法を提供する。【解決手段】ＣＦ基板２１上に塗布されたシール材２４の断面積をシール材断面積Ｓ１とし、ＣＦ基板２１とノズル４２の先端との間隔をノズルギャップＺ１とした場合において、ノズル４２のノズル径Ｄ１とノズルギャップＺ１との積Ｍ１と、シール材断面積Ｓ１との関係を近似した一次関数に基づいて、目標となるシール材断面積Ｓ１に対応するノズル径Ｄ１及びノズルギャップＺ１を決定する決定工程と、決定工程の後に実行され、決定工程で決定されたノズル径Ｄ１を有するノズル４２によって、決定工程で決定されたノズルギャップＺ１を維持しつつ、シール材２４をＣＦ基板２１上に塗布するシール材塗布工程と、を備えることに特徴を有する。【選択図】図３
2020008851.tif 000002
【特許請求の範囲】
【請求項１】
表示パネルを構成する基板に対してシール材を吐出しつつ前記基板上を移動することで前記基板上に前記シール材を塗布することが可能なシールディスペンサのノズルについて、前記基板上に塗布された前記シール材を前記ノズルの移動方向と直交する平面で切断した場合の断面積をシール材断面積とし、前記基板と前記ノズルの先端との間隔をノズルギャップとした場合において、
前記ノズルのノズル径と前記ノズルギャップとの積と、前記シール材断面積との関係を近似した一次関数に基づいて、目標となる前記シール材断面積に対応する前記ノズル径及び前記ノズルギャップを決定する決定工程と、
前記決定工程の後に実行され、前記決定工程で決定された前記ノズル径を有する前記ノズルによって、前記決定工程で決定された前記ノズルギャップを維持しつつ、前記シール材を前記基板上に塗布するシール材塗布工程と、を備える表示パネルの製造方法。
【請求項２】
前記シールディスペンサは、前記ノズルを有するシリンダと、前記シリンダに内蔵されたスクリューを備え、前記スクリューが回転することで前記ノズルが前記シリンダ内の前記シール材を吐出する構成とされ、
前記シール材塗布工程では、前記スクリューの回転速度を４８〜９６ｒｐｍの間で設定し、前記シール材を前記基板上に塗布する請求項１に記載の表示パネルの製造方法。
【発明の詳細な説明】
【技術分野】
【０００１】
本発明は、表示パネルの製造方法に関する。
【背景技術】
【０００２】
従来、表示パネルを構成する一対の基板のうち、一方の基板上にシール材を塗布した後、他方の基板を一方の基板に重ね合わせることによって一対の基板の間にシール材を介在させることが行われている。下記特許文献１ではスクリューの回転圧によってノズルからシール材を吐出し、基板上に塗布する構成が記載されている。
【先行技術文献】
【特許文献】
【０００３】
【特許文献１】特開２００９−５０８２８号公報
【発明の概要】
【発明が解決しようとする課題】
【０００４】
ノズルを用いてシール材を塗布する際には、基板上に塗布されたシール材の断面積を目標値とする場合がある。シール材の断面積は、ノズルやスクリューに関する様々なパラメータによって変化する。このため、基板上に所望の断面積でシール材を塗布するためには、シール材の断面積と相関関係があるパラメータを特定し、このパラメータを設定することが必要となる。
【０００５】
本発明は上記のような事情に基づいて完成されたものであって、基板上に所望の断面積でシール材を塗布することが可能な表示パネルの製造方法を提供することを目的とする。
【課題を解決するための手段】
【０００６】
（１）本発明の一実施形態は、表示パネルを構成する基板に対してシール材を吐出しつつ前記基板上を移動することで前記基板上に前記シール材を塗布することが可能なシールディスペンサのノズルについて、前記基板上に塗布された前記シール材を前記ノズルの移動方向と直交する平面で切断した場合の断面積をシール材断面積とし、前記基板と前記ノズルの先端との間隔をノズルギャップとした場合において、前記ノズルのノズル径と前記ノズルギャップとの積と、前記シール材断面積との関係を近似した一次関数に基づいて、目標となる前記シール材断面積に対応する前記ノズル径及び前記ノズルギャップを決定する決定工程と、前記決定工程の後に実行され、前記決定工程で決定された前記ノズル径を有する前記ノズルによって、前記決定工程で決定された前記ノズルギャップを維持しつつ、前記シール材を前記基板上に塗布するシール材塗布工程と、を備える表示パネルの製造方法である。
【０００７】
本願発明者によれば、ノズル径とノズルギャップとの積とシール材断面積との間には相関関係があり、この相関関係を一次関数で近似できることが見出された。このため、このような一次関数に基づいて、目標のシール材断面積に対応するノズル径及びノズルギャップを決定し、決定されたノズル径及びノズルギャップに基づいてシール材を基板上に塗布することで、基板上に所望の断面積でシール材を塗布することができる。
【０００８】
（２）また、本発明のある実施形態は、上記（１）の構成に加え、前記シールディスペンサは、前記ノズルを有するシリンダと、前記シリンダに内蔵されたスクリューを備え、前記スクリューが回転することで前記ノズルが前記シリンダ内の前記シール材を吐出する構成とされ、前記シール材塗布工程では、前記スクリューの回転速度を４８〜９６ｒｐｍの間で設定し、前記シール材を前記基板上に塗布する表示パネルの製造方法である。
【発明の効果】
【０００９】
本発明によれば、基板上に所望の断面積でシール材を塗布することが可能な表示パネルの製造方法を提供することができる。
【図面の簡単な説明】
【００１０】
【図１】液晶表示装置の概略構成を示す断面図
【図２】シール塗布工程を示す平面図
【図３】シールディスペンサ及びシール塗布工程を示す断面図（図２のＩＩＩ−ＩＩＩ線で切断した図に対応）
【図４】目標となるシール材断面積に対するノズルギャップ及びノズル径の組み合わせを示す図表
【図５】ノズル径とシール材断面積の相関関係を示すグラフ
【図６】ノズル径とノズルギャップの積と、シール材断面積の相関関係を示すグラフ
【図７】スクリュー回転速度とシール材断面積のばらつきの相関関係を示す図表
【図８】スクリュー回転速度とシール材断面積のばらつきの相関関係を示すグラフ（ノズル径０．２ｍｍ）
【図９】スクリュー回転速度とシール材断面積のばらつきの相関関係を示すグラフ（ノズル径０．３ｍｍ）
【図１０】スクリュー回転速度とシール材断面積のばらつきの相関関係を示すグラフ（ノズル径０．４ｍｍ）
【図１１】スクリュー回転速度とシール材断面積のばらつきの相関関係を示すグラフ（ノズル径０．５ｍｍ）
【発明を実施するための形態】
【００１１】
本発明の一実施形態を図１から図１１によって説明する。液晶表示装置１０は、図１に示すように、液晶パネル１１（表示パネル）と、液晶パネル１１が備えるドライバ１７に対して各種入力信号を供給する制御回路基板１２と、液晶パネル１１と外部の制御回路基板１２とを電気的に接続するフレキシブル基板１３と、液晶パネル１１に光を供給する光源であるバックライト装置１４（照明装置）と、を備える。バックライト装置１４は、図１に示すように、表側（液晶パネル１１側）に向けて開口した略箱形をなすシャーシ１８と、シャーシ１８内に配された図示しない光源（例えば冷陰極管、ＬＥＤ、有機ＥＬなど）と、シャーシ１８の開口部を覆う形で配される図示しない光学部材と、を備える。光学部材は、光源から発せられる光を面状に変換するなどの機能を有するものである。液晶パネル１１は画像を表示することが可能な表示領域Ａ１と、表示領域Ａ１を取り囲む非表示領域Ａ２を有する。
【００１２】
また、液晶表示装置１０は、図１に示すように、液晶パネル１１及びバックライト装置１４を収容するための表裏一対の外装部材１５，１６を備える。表側の外装部材１５には、液晶パネル１１の表示領域Ａ１に表示された画像を外部から視認させるための開口部１９が形成されている。本実施形態に係る液晶表示装置１０は、例えば、携帯電話（スマートフォンなどを含む）、ノートパソコン（タブレット型ノートパソコンなどを含む）、ウェアラブル端末（スマートウォッチなどを含む）、携帯型情報端末（電子ブックやＰＤＡなどを含む）、携帯型ゲーム機、デジタルフォトフレームなどの各種電子機器（図示せず）に用いられるものである。
【００１３】
液晶パネル１１は、図１に示すように、対向状に配される一対の基板２１，３０と、一対の基板２１，３０間に配され、電界印加に伴って光学特性が変化する物質である液晶分子を含む液晶層２３（媒質層）と、一対の基板２１，３０の間に配されると共に液晶層２３を囲むことで液晶層２３を封止するシール材２４と、を備える。一対の基板２１，３０のうち表側（図１の上側）の基板がＣＦ基板２１（対向基板）とされ、裏側の基板がアレイ基板３０（アクティブマトリクス基板）とされる。ＣＦ基板２１は、ガラス基板の内面側に、図示しないカラーフィルタなどが積層されることで構成されている。カラーフィルタは、マトリクス状に配列されるＲ（赤色），Ｇ（緑色），Ｂ（青色）の三色の着色部を備えている。また、両基板２１，３０の外面側には、それぞれ図示しない偏光板が貼り付けられている。
【００１４】
シール材２４は、図２に示すように、方形枠状をなしている。シール材２４は、図３に示すシールディスペンサ４０を用いて、例えば、ＣＦ基板２１上に塗布される。シール材２４の材質としては、例えば、光硬化性樹脂や熱硬化性樹脂などを例示することができる。シールディスペンサ４０は、図３に示すように、塗布ヘッド４１を備える。塗布ヘッド４１は、シール材２４を吐出するためのノズル４２を有するシリンダ４３と、シリンダ４３に内蔵されたスクリュー４４と、スクリュー４４を回転させるモータ４５と、シリンダ４３に設けられた位置センサ４６と、シール材２４を貯留する貯留容器４７と、シリンダ４３と貯留容器４７とを接続するパイプ４８と、を備える。また、シールディスペンサ４０は、図示しない移動装置を備え、塗布ヘッド４１は、移動装置によって、水平方向及び上下方向に移動可能となっている。また、本実施形態では、吐出口の直径（ノズル径Ｄ１）が異なる複数のノズル４２を備えており、ノズル４２を付け替えることにより、ノズル径Ｄ１を変更することが可能となっている。
【００１５】
スクリュー４４が回転することで、シリンダ４３内のシール材２４がスクリュー４４によって押し出され、その結果、ノズル４２がシリンダ４３内のシール材２４を吐出する構成となっている。そして、ノズル４２がシール材２４を吐出しつつＣＦ基板２１上を移動することでＣＦ基板２１上にシール材２４を塗布することが可能となっている。また、位置センサ４６は、例えば、レーザー変位計とされ、ノズル４２先端とＣＦ基板２１との間隔であるノズルギャップＺ１を測定することが可能となっている。これにより、移動装置は、位置センサ４６からの信号に基づいて、ノズルギャップＺ１を維持しつつ、塗布ヘッド４１を移動させることができる。なお、本実施形態のようなスクリュー式のシールディスペンサは、エア式のシールディスペンサと比べて、高チクソ性且つ高粘度のシール材を塗布する際に好適である。
【００１６】
シール材２４をＣＦ基板２１上に塗布する際には、目標となるシール材断面積Ｓ１を設定し、そのシール材断面積Ｓ１に近づくように、シールディスペンサ４０に係る各パラメータを設定する。ここで言うシール材断面積Ｓ１とは、ノズル４２の移動方向（シール材２４の描画方向）と直交する平面で切断した場合の断面積（図３参照）であり、シール材２４の吐出量に比例する。
【００１７】
本願発明者は、鋭意検討した結果、シールディスペンサ４０に係るパラメータのうち、シール材断面積Ｓ１に影響を与える３つのパラメータ（ノズル径Ｄ１、ノズルギャップＺ１、スクリュー４４の回転速度Ｖ１）について、以下の事項（１）、（２）を見出した。
事項（１）：ノズル径Ｄ１とノズルギャップＺ１の積Ｍ１と、シール材断面積Ｓ１との関係は、一次関数で近似できること
事項（２）：スクリュー４４の回転速度Ｖ１が４８〜９６ｒｐｍ（２０００〜４０００ｐｐｓ）の範囲内で設定されている場合に、シール材断面積Ｓ１のばらつきが小さくなること
【００１８】
事項（１）に関して、本願発明者は、試験用の基板に対してノズルギャップＺ１及びノズル径Ｄ１をそれぞれ変化させてシール材２４の塗布を行い、シール材断面積Ｓ１を測定した。これにより、目標となるシール材断面積Ｓ１に対して最も近いシール材断面積Ｓ１になるノズルギャップＺ１及びノズル径Ｄ１の組み合わせを特定した。図４にその結果を示す。なお、図４は、スクリュー４４の回転速度Ｖ１が３０００ｐｐｓである場合の結果である。図５は、図４の測定結果について、ノズル径Ｄ１及び目標となるシール材断面積Ｓ１をプロットしたグラフである。図５の横軸がノズル径Ｄ１であり、縦軸がシール材断面積Ｓ１である。図５に示すようにノズル径Ｄ１が大きくなるとシール材断面積Ｓ１は大きくなる。また、図５の曲線Ｌ１は、最小二乗法を用いて算出したノズル径Ｄ１とシール材断面積Ｓ１との関係式（本実施形態ではＳ１＝２２４８１＊Ｄ１１．２６３）を示す曲線である。なお、図５の曲線Ｌ１は、累乗近似曲線である。
【００１９】
また、図４によれば、ノズル径Ｄ１が同じである場合には、ノズルギャップＺ１が大きい程、シール材断面積Ｓ１が大きくなっている。図６は、図４の測定結果について、ノズル径Ｄ１とノズルギャップＺ１の積Ｍ１及び目標となるシール材断面積Ｓ１をプロットしたグラフである。図６の横軸がノズル径Ｄ１とノズルギャップＺ１の積Ｍ１であり、縦軸がシール材断面積Ｓ１である。図６に示すように、ノズル径Ｄ１とノズルギャップＺ１の積Ｍ１とシール材断面積Ｓ１との間には、相関関係があり、積Ｍ１とシール材断面積Ｓ１との関係は、一次関数（図６の直線Ｌ２の式、本実施形態ではＳ１＝６１６．１８＊Ｍ１）で近似できる。
【００２０】
そして、図５及び図６を比較すると、図６においては、近似した線と実測データとの誤差がより小さくなっている。つまり、積Ｍ１及びシール材断面積Ｓ１に基づいて作成した関係式の方が、ノズル径Ｄ１及びシール材断面積Ｓ１に基づいて作成した関係式よりも近似の精度が高いことがわかる。つまり、目標となるシール材断面積Ｓ１に対して、ノズル径Ｄ１のみを設定するよりも、ノズル径Ｄ１及びノズルギャップＺ１を設定する方が、目標値に対するシール材断面積Ｓ１の誤差をより少なくすることができる。なお、曲線Ｌ１の式のＲ−２乗値は、０．９１２１であり、直線Ｌ２の式のＲ−２乗値は、０．９９８２である。
【００２１】
また、事項（２）に関して、本願発明者は、スクリュー４４の回転速度Ｖ１とシール材断面積Ｓ１のばらつきとの相関関係について検証を行った。シール材断面積Ｓ１のばらつきは以下の手順（１）、（２）によって算出した。
【００２２】
手順（１）：シール材２４の直線部分のシール材断面積Ｓ１を、ノズル４２の移動方向（シール材２４の描画方向）について１０ｍｍ間隔で３箇所測定し、その３箇所の測定結果のうち、最大値と最小値の差をシール材断面積Ｓ１のばらつきＥ１とする。このばらつきＥ１を回転速度Ｖ１及びノズルギャップＺ１をそれぞれ変化させた場合のシール材断面積Ｓ１についてそれぞれ算出する。なお、回転速度Ｖ１は、１０００ｐｐｓ〜８０００ｐｐｓの範囲で５００ｐｐｓずつ変化させ、ノズルギャップＺ１は、例えば２０〜５０μｍの範囲で２μｍずつ変化させた。つまり、１種類の回転速度Ｖ１について基本的にはノズルギャップＺ１が異なる１６個のばらつきＥ１を算出した。また、ノズル４２の移動速度は１５０ｍｍ／ｓｅｃとした。
手順（２）：１種類の回転速度Ｖ１について、ノズルギャップＺ１が異なる全てのばらつきＥ１の平均値をばらつきＥ２とし、ばらつきＥ２を回転速度Ｖ１の全種類（１５種類）について算出する。
【００２３】
図７は、ノズル径Ｄ１が異なる４種類のノズル４２について手順（１）、（２）を行った結果を示す表である。また、図８から図１１は、図７の結果をグラフにしたものである。図８から図１１において横軸が回転速度Ｖ１であり、縦軸がシール材断面積Ｓ１のばらつきＥ２である。図８は、ノズル径Ｄ１が０．２ｍｍである場合のばらつきＥ２であり、図９は、ノズル径Ｄ１が０．３ｍｍである場合のばらつきＥ２である。また、図１０は、ノズル径Ｄ１が０．４ｍｍである場合のばらつきＥ２であり、図１１は、ノズル径Ｄ１が０．５ｍｍである場合のばらつきＥ２である。図８から図１１に示すように、いずれのノズル径Ｄ１においても、スクリュー４４の回転速度Ｖ１が２０００〜４０００ｐｐｓの範囲内において、ばらつきＥ２が小さくなることが見出された。なお、本実施形態では、回転速度Ｖ１について、２０００ｐｐｓが４８ｒｐｍに相当し、４０００ｐｐｓが９６ｒｐｍに相当する。
【００２４】
なお、スクリュー４４の回転速度Ｖ１を高くすると、シール材断面積Ｓ１は大きくなる。しかしながら、上記の通り、回転速度Ｖ１が概ね４０００ｐｐｓを超えると、ばらつきＥ２は大きくなる。以上のことから、シールディスペンサ４０に係る各パラメータ（回転速度Ｖ１、ノズル径Ｄ１及びノズルギャップＺ１）を設定する際には、回転速度Ｖ１は２０００〜４０００ｐｐｓの範囲内で設定しつつ、シール材断面積Ｓ１が目標値に近づくようにノズル径Ｄ１及びノズルギャップＺ１の各値を設定することが好ましい。
【００２５】
次に本実施形態の液晶パネル１１の製造方法について説明する。液晶パネル１１の製造方法は、シールディスペンサ４０について、ＣＦ基板２１及びアレイ基板３０をそれぞれ製造する基板製造工程と、積Ｍ１とシール材断面積Ｓ１との関係を示す一次関数の式を算出する算出工程と、ノズル径Ｄ１及びノズルギャップＺ１を決定する決定工程と、シール材塗布工程と、液晶滴下工程と、貼り合わせ工程と、シール材硬化工程と、を備える。基板製造工程において、ＣＦ基板２１及びアレイ基板３０は、ガラス基板上に、既知のフォトリソグラフィ法などによって各種の金属膜、絶縁膜、透明電極膜などを積層形成することで製造される。
【００２６】
基板製造工程の後に行われる算出工程では、図４及び図６に示すように、ノズルギャップＺ１及びノズル径Ｄ１をそれぞれ変化させた場合のシール材断面積Ｓ１をそれぞれ測定し、その測定結果に基づいて例えば最小二乗法によって、直線Ｌ２の式を算出する。つまり、ノズル４２のノズル径Ｄ１とノズルギャップＺ１との積Ｍ１と、シール材断面積Ｓ１との関係を一次関数で近似する。
【００２７】
算出工程の後に行われる決定工程では、積Ｍ１とシール材断面積Ｓ１との関係を近似した一次関数に基づいて、目標となるシール材断面積Ｓ１に対応する積Ｍ１を決定する。つまり、算出工程で算出した直線Ｌ２の式（本実施形態ではＳ１＝６１６．１８×Ｍ１）を用いて積Ｍ１を決定する。そして、決定した積Ｍ１に基づいてノズル径Ｄ１及びノズルギャップＺ１を決定する。具体的には、選択可能な複数のノズル径Ｄ１及び複数のノズルギャップＺ１の中から、積Ｍ１に最も近い積となるノズル径Ｄ１とノズルギャップＺ１の組み合わせを選ぶ。なお、目標となるシール材断面積Ｓ１は、一対の基板２１，３０間のギャップと一対の基板２１，３０間に介在された状態でのシール材２４の幅との積に基づいて設定される。なお、算出工程及び決定工程は、少なくともシール材塗布工程の前に実行されていればよく、例えば基板製造工程の前に実行されていてもよい。
【００２８】
決定工程の後に行われるシール材塗布工程では、図２及び図３に示すように、決定工程で決定されたノズル径Ｄ１を有するノズル４２によって、決定工程で決定されたノズルギャップＺ１を維持しつつ、シール材２４をＣＦ基板２１上に塗布する。また、シール材塗布工程では、スクリュー４４の回転速度を２０００〜４０００ｐｐｓ（４８〜９６ｒｐｍ）の間で設定し、シール材２４をＣＦ基板２１上に塗布する。
【００２９】
シール材塗布工程の後に行われる液晶滴下工程では、図示しない液晶滴下装置を用いたＯＤＦ（One Drop Fill）法により、ＣＦ基板２１においてシール材２４に囲まれた部分に液晶を滴下することで液晶層２３が形成される。液晶滴下工程の後に行われる貼り合わせ工程では、真空下（大気圧よりも圧力が低い減圧下）において、図示しない貼り合わせ装置を利用して、ＣＦ基板２１とアレイ基板３０とが貼り合わせられる。これにより、液晶パネル１１が形成される。
【００３０】
貼り合わせ工程の後に行われるシール材硬化工程では、シール材２４に対して、ＣＦ基板２１又はアレイ基板３０越しに紫外線を照射すると共に（あるいは照射した後に）熱が加えられる。これにより、シール材２４が硬化することでシール材２４を介してＣＦ基板２１及びアレイ基板３０が互いに完全に固定される。
【００３１】
次に本実施形態の効果について説明する。本願発明者によれば、ノズル径Ｄ１とノズルギャップＺ１との積Ｍ１とシール材断面積Ｓ１との間には相関関係があり、この相関関係を一次関数で近似できることが見出された。このため、近似した一次関数に基づいて、目標のシール材断面積Ｓ１に対応するノズル径Ｄ１及びノズルギャップＺ１を決定し、決定されたノズル径Ｄ１及びノズルギャップＺ１に基づいてシール材２４をＣＦ基板２１上に塗布することで、ＣＦ基板２１上に所望の断面積でシール材２４を塗布することができる。
【００３２】
また、本願発明者によれば、スクリュー４４の回転速度を４８〜９６ｒｐｍの間で設定することで、ＣＦ基板２１上に塗布されるシール材断面積Ｓ１について、ばらつきが小さくなることが見出された。このため、スクリュー４４の回転速度を上記の範囲で設定することでシール材断面積Ｓ１のばらつきをより小さくすることができる。
【００３３】
＜他の実施形態＞
本発明は上記記述及び図面によって説明した実施形態に限定されるものではなく、例えば次のような実施形態も本発明の技術的範囲に含まれる。
（１）上記実施形態では、シール材２４をＣＦ基板２１上に塗布することを例示したが、これに限定されない。例えば、シール材２４をアレイ基板３０上に塗布してもよい。しかしながら、アレイ基板３０の表面には配線パターンに起因した凹凸が存在するため、位置センサ４６によるノズルギャップＺ１の計測値にばらつきが生じ易く、ノズルギャップＺ１を維持し難い。この点、表面がより平坦なＣＦ基板２１上にシール材２４を塗布すれば、位置センサ４６の計測値が安定し、ノズルギャップＺ１を維持し易いため、シール材２４の描画精度をより高くすることができる。
（２）ノズル径やノズルギャップの値は上記実施形態で例示した値に限定されない。
（３）上記実施形態では、シール材２４をＣＦ基板２１上に無端環状に周回するように描画し、ＣＦ基板２１とアレイ基板３０とが貼り合わせられる前に、シール材２４の内側に液晶を滴下するＯＤＦ（One Drop Fill）法を例示したが、これに限定されない。例えば、液晶の注入口となる開口を有するようにシール材を描画し、ＣＦ基板２１とアレイ基板３０を貼り合わせた後に、注入口からシール材の内側に液晶を充填する真空注入工法を用いて液晶層２３を形成してもよい。
【符号の説明】
【００３４】
１１…液晶パネル（表示パネル）、２１…ＣＦ基板（基板）、２４…シール材、４０…シールディスペンサ、４２…ノズル、４３…シリンダ、４４…スクリュー、Ｍ１…ノズル径とノズルギャップとの積、Ｓ１…シール材断面積、Ｚ１…ノズルギャップ
【図１】
2020008851.tif 000003
【図２】
2020008851.tif 000004
【図３】
2020008851.tif 000005
【図４】
2020008851.tif 000006
【図５】
2020008851.tif 000007
【図６】
2020008851.tif 000008
【図７】
2020008851.tif 000009
【図８】
2020008851.tif 000010
【図９】
2020008851.tif 000011
【図１０】
2020008851.tif 000012
【図１１】
2020008851.tif 000013